(57)【要約】【課題】出納装置を現行紙幣と改刷後の新しい紙幣との並行取扱に容易に適合させることができる手段を提供する。【解決手段】金種別入出金金庫を有する紙幣入出金ユニットと金種別小束金庫を有する施封小束支払ユニットと金種別新札金庫を有する新札支払ユニットと前記各ユニットを制御する出納制御部とを備え、出納制御部に予め新紙幣供給量に応じて設定した紙幣運用モードの各ユニットの各金庫の金種と新旧の別の紙幣設定を格納しておき、紙幣運用モードに応じて各金庫へ紙幣を収納する。【選択図】        図１
2004318517.tif 000002
【特許請求の範囲】
【請求項１】
金種別入出金金庫を有する紙幣入出金ユニットと、金種別小束金庫を有する施封小束支払ユニットと、金種別新札金庫を有する新札支払ユニットと、前記各ユニットを制御する出納制御部とを備え、
前記出納制御部に予め新紙幣供給量に応じて設定した紙幣運用モードの前記各ユニットの各金庫の金種と新旧の別の紙幣設定を格納しておき、前記紙幣運用モードに応じて前記各金庫へ紙幣を収納することを特徴とする出納装置。
【請求項２】
請求項１において、
前記紙幣運用モードが、導入期モードと、移行前期モードと、移行後期モードと、新紙幣モードとからなることを特徴とする出納装置。
【請求項３】
請求項１または請求項２において、
前記紙幣入出金ユニットの一つの金種別入出金金庫に、少量流通紙幣の金種と新紙幣または旧紙幣の全ての金種とを混在させて収納し、その金種別入出金金庫を出金停止とすることを特徴とする出納装置。
【請求項４】
金種別入出金金庫を有する紙幣入出金ユニットと、金種別小束金庫を有する施封小束支払ユニットと、金種別新札金庫を有する新札支払ユニットとを制御する出納制御部の主制御部に、
新紙幣供給量に応じた紙幣運用モードの選択入力を受付ける運用モード選択入力受付ステップと、
前記紙幣運用モードの選択入力を受付けたときに、紙幣設定テーブルの選択された紙幣運用モードの前記各ユニットの各金庫の格納している紙幣設定を読み出す紙幣設定読出ステップと、
該読み出した紙幣設定を切替後の紙幣運用モードの紙幣設定として更新する紙幣設定更新ステップと、
収納している切替前の収納紙幣を回収する収納紙幣回収ステップと、
切替後の紙幣設定の紙幣を補充する設定紙幣補充テップとを実行させることを特徴とする出納装置のプログラム。
【請求項５】
請求項４において、
前記設定された紙幣運用モードに出金を停止すべき金種別入出金金庫が設定されている場合に、前記金種別入出金金庫からの出金を停止する出金停止設定ステップとを実行させることを特徴とする出納装置のプログラム。
【発明の詳細な説明】
【０００１】
【発明の属する技術分野】
本発明は、金融機関等に設置され、出納係や行員等の係員が操作して入出金等を行う出納装置であって、特に現行流通紙幣を新紙幣に移行するときに用いる出納装置およびそのプログラムに関する。
【０００２】
【従来の技術】
従来、自動取引装置が取扱う紙幣を切替える場合、例えば日本紙幣による取引から外国紙幣による取引に切替える場合は、鑑別部が鑑別する紙幣の紙幣識別情報を外国紙幣の情報に変更し、金種別入出金金庫に収納する紙幣を外国紙幣に切替えて取引を行っている（例えば、特許文献１参照。）。
【０００３】
【特許文献１】
特開２００２−１９７５１６号公報（第５頁
【００３４】−
【００４２】、第５図、第１０図）
【０００４】
【発明が解決しようとする課題】
しかしながら、上述した従来の技術においては、国や共通通貨圏のような特定の地域に限定された紙幣を取扱うことのみを考慮して、鑑別できる紙幣識別情報を変更して運用するものであるため、現行流通紙幣を改刷して新しい紙幣に移行させる場合等の同一金種の現行紙幣と改刷後の新しい紙幣とを並行使用する環境での取扱に対応させるには金種別入出金金庫を増加させることが必要であり、自動取引装置を改造または新規に製作することが必要になる。
【０００５】
このことは、金融機関等が用いる出納装置においても同様であり、同一金種の現行紙幣と改刷後の新しい紙幣とを並行使用する環境、つまり区別する必要がある紙幣の種類が一時的に増加する環境に対応するために出納装置を改造または新規に製作することは、金融機関に多大な負担を強いることになり、多大な無駄が発生するという問題がある。
【０００６】
本発明は、上記の問題点を解決するためになされたもので、出納装置を現行紙幣と改刷後の新しい紙幣との並行取扱に容易に適合させることができる手段を提供することを目的とする。
【０００７】
【課題を解決するための手段】
本発明は、上記課題を解決するために、金種別入出金金庫を有する紙幣入出金ユニットと、金種別小束金庫を有する施封小束支払ユニットと、金種別新札金庫を有する新札支払ユニットと、前記各ユニットを制御する出納制御部とを備え、前記出納制御部に予め新紙幣供給量に応じて設定した紙幣運用モードの前記各ユニットの各金庫の金種と新旧の別の紙幣設定を格納しておき、前記紙幣運用モードに応じて前記各金庫へ紙幣を収納することを特徴とする。
【０００８】
また、出納装置の主制御部に、新紙幣供給量に応じた紙幣運用モードの選択入力を受付ける運用モード選択入力受付ステップと、前記紙幣運用モードの選択入力を受付けたときに、紙幣設定テーブルの選択された紙幣運用モードの前記各ユニットの各金庫の格納している紙幣設定を読み出す紙幣設定読出ステップと、該読み出した紙幣設定を切替後の紙幣運用モードの紙幣設定として更新する紙幣設定更新ステップと、収納している切替前の収納紙幣を回収する収納紙幣回収ステップと、切替後の紙幣設定の紙幣を補充する設定紙幣補充テップとを実行させることを特徴とする。
【０００９】
【発明の実施例】
以下に、図面を参照して本発明による出納装置の実施例について説明する。
図１は本発明の実施例の出納装置を示すブロック図、図２は実施例の紙幣入出金ユニットを示すブロック図、図３は実施例の施封小束支払ユニットの金庫構成を示す説明図、図４は実施例の新札支払ユニットの金庫構成を示す説明図である。
【００１０】
図１において、１は金融機関の支店等の営業店に設置されている出納装置であり、複数の機器を接続して営業店の応対窓口の窓口端末やＡＴＭコーナの自動取引装置への資金の供給および回収、並びに顧客との大口の取引における入金処理や出金処理等を行う。
２は出納装置１の出納制御部であり、主制御部３によって出納装置１を構成する機器による入金や出金および自動取引装置等への資金の供給や回収等の各種の処理を統括する。
【００１１】
３は出納制御部２の主制御部であり、ＬＡＮ（Ｌｏｃａｌ  Ａｒｅａ  Ｎｅｔｗｏｒｋ）等の通信回線４を介して後述する紙幣入出金ユニット７、施封小束支払ユニット８および新札支払ユニット１０（これらを総称する場合を各ユニットという。）や出納装置１の他の機器と接続しており、これらを制御して各種の業務処理を実行する。
【００１２】
５は表示操作部であり、ＬＣＤ等の表示画面とタッチパネル等の位置信号検知手段との組合せ等で構成されており、業務選択画面や処理操作の入力画面等を表示する一方、タッチパネル等により営業店の行員や保守員等の係員からの入力を受付ける。
６は記憶部であり、主制御部３が実行するプログラムや主制御部３による処理結果および出納装置１の操作履歴等が格納される。
【００１３】
７は紙幣入出金ユニットであり、係員が投入した紙幣を受入れ、これを鑑別、計数して収納し、係員の入力に応じて出金する紙幣を払出す。
８は施封小束支払ユニットであり、主制御部３から通信回線４を介して送信される指令により、紙幣入出金ユニット７からユニット間搬送路９により搬送される正券の紙幣を所定の枚数、例えば１００枚毎に紙帯等で施封して小束に束ね、金種別に収納すると共に収納している小束紙幣を繰出して図示しない受取検知センサを有する払出口へ排出する機能を有している。
【００１４】
なお、図１において破線で示す各部位の接続は、それぞれの間を指令やデータが電気的に送受可能に接続されていることを示し、実線で示す接続はユニット間搬送路９のように機械的に接続されていることを示す。
１０は新札支払ユニットであり、主制御部３から通信回線４を介して送信される指令により係員が金種別に収納した未使用の紙幣やこれに相当する紙幣等の新品同様の紙幣（新札という。）を繰出して図示しない受取検知センサを有する支払口へ排出する機能を有している。
【００１５】
なお、出納装置１には、他に硬貨入出金ユニットや棒金支払ユニット等のユニットおよびプリンタ等の出力装置や外部記憶装置等の記憶装置を装備するようにしてもよい。
図２において、１１は入金口であり、図示しない投入検知センサが設けられており、係員が入金等のために紙幣を投入する。
【００１６】
１２は入金鑑別部であり、搬送された紙幣の金種を鑑別するための複数の紙幣識別情報が格納されており、入金口１１から搬送路１３ａにより搬送された紙幣の真偽や正損、新旧、金種および重送等の搬送異常等を鑑別すると共に鑑別した紙幣の計数を行う。
１４ａ、１４ｂ、１４ｃ、１４ｄは金種別入出金金庫であり、それぞれに収納する紙幣が設定されており、入金鑑別部１２で真券と鑑別され、搬送路１３ｂ、１３ｃにより搬送された紙幣をその正損に関わらず収納すると共に、出金時に収納している紙幣を図示しない分離機構によって搬送路１３ｄへ繰出す機能を有している。
【００１７】
金種別入出金金庫１４ａ、１４ｂ、１４ｃ、１４ｄ（これらを総称する場合は、金種別入出金金庫１４という。）は、紙幣入出金ユニット７に固定され、役席者等の特定の係員が管理する鍵以外では開けることができない構造に構成されている。
１５は損券庫であり、紙幣入出金ユニット７に着脱可能に設置され、入金鑑別部１２で真券ではあるが、汚損している等の理由により損券と鑑別され、搬送路１３ｂ、１３ｃにより搬送された紙幣を収納する。
【００１８】
１６は出金鑑別部であり、金種別入出金金庫１４から繰出され、搬送路１３ｄにより搬送された紙幣の真偽や正損、新旧、金種および重送等の搬送異常等を鑑別すると共に鑑別した紙幣の計数を行う。
１７は出金口であり、図示しない受取検知センサが設けられており、出金時に出金鑑別部１６によって正券と鑑別され、搬送路１３ｅにより搬送された紙幣、および入金時に入金鑑別部１２によって偽券や外国紙幣、搬送異常等の異常紙幣と鑑別され、搬送路１３ｂ、１３ｆ、１３ｅによって搬送された異常紙幣を集積して係員に返却する。
【００１９】
１８はリジェクト庫であり、紙幣入出金ユニット７に着脱可能に設置され、出金鑑別部１６によって搬送異常等のリジェクト券と鑑別された紙幣が搬送路１３ｅ、１３ｇにより搬送されて集積される。
なお、搬送路１３ａ、１３ｂ、１３ｃ、１３ｄ、１３ｅ、１３ｆ、１３ｇは、対向配置した一対のベルトまたは一対のローラに紙幣を挟持して搬送する搬送路である。
【００２０】
図３において、２１ａ、２１ｂ、２１ｃ、２１ｄは金種別小束金庫であり、施封小束支払ユニット８によって小束に施封された小束紙幣をそれぞれに設定された金種毎に集積して収納すると共に、出金時に収納している小束紙幣を図示しない分離機構によって繰出す機能を有している。
金種別小束金庫２１ａ、２１ｂ、２１ｃ、２１ｄ（これらを総称する場合は、金種別小束金庫２１という。）は、施封小束支払ユニット８に固定され、役席者等の特定の係員が管理する鍵以外では開けることができない構造に構成されている。
【００２１】
図４において、３１ａ、３１ｂ、３１ｃ、３１ｄは金種別新札金庫（これらを総称する場合は、金種別新札金庫３１という。）であり、新札支払ユニット１０に固定され、役席者等の特定の係員が管理する鍵以外では開けることができない構造に構成されており、特定の係員が鍵により開錠して新札をそれぞれに設定された金種毎に収納する。
【００２２】
また、金種別新札金庫３１は、出金時には収納している新札を図示しない分離機構によって自動的に繰出す機能を有している。
なお、上記の各金庫には開錠および施錠を検知する開錠検知センサが設けられている。
上述した構成の作用について説明する。
【００２３】
本実施例では、現行の１万、５千、１千円紙幣（旧万券、旧５千券、旧千券といい、これらを総称する場合を旧紙幣という。）と改刷による１万、５千、１千円紙幣（新万券、新５千券、新千券といい、これらを総称する場合を新紙幣という。）および現行の２千円紙幣（２千券という。）の７種類の紙幣を現状の旧紙幣と２千券を使用する環境から改刷された紙幣が市場に行き渡り新紙幣と２千券を使用する環境に移行させる場合の出納装置１における紙幣の取扱について説明する。
【００２４】
なお、本実施例では日本紙幣を例に説明するが、入金口１１や出金口１７、入金鑑別部１２、出金鑑別部１６、金種別入出金金庫１４等が同時に取扱うことができる程度の形状に設定されている外国紙幣の場合も同様である。
本実施例では、予め入金鑑別部１２および出金鑑別部１６に上記７種類の紙幣を鑑別するための紙幣識別情報を格納する。
【００２５】
また、出納装置１の紙幣運用モードとして、導入期モード、移行前期モード、移行後期モードおよび新紙幣モードの４種類の紙幣運用モードを設け、それぞれの紙幣運用モードにおける入金鑑別部１２や出金鑑別部１６が鑑別する紙幣の種類、金種別入出金金庫１４や金種別小束金庫２１および金種別新札金庫３１（これらを総称する場合に各金庫という。）に収納する紙幣の金種、新旧の別、正損の別、並びに紙幣入出金ユニット７の損券庫１５とリジェクト庫１８に収納する紙幣の種類の設定（紙幣設定という。）は、表１に示す紙幣設定テーブルの各項目に記述して出納制御部２の記憶部６に格納する。
【００２６】
【表１】
2004318517.tif 000003
なお、表１の記載の内、「正・損」は正券および損券を表す。
記憶部６には上記の他、各紙幣運用モードによる紙幣処理やその他の取引業務の通常の業務処理を実行するための「業務処理プログラム」に各紙幣運用モード間の切替を実行するための「紙幣運用モード切替サブプログラム」を追加した実行プログラムが格納されている。
【００２７】
また、記憶部６には現在実行している紙幣運用モード（現在モードという。）を格納するための現在モード格納エリアや現在モードの紙幣設定を格納するための紙幣設定格納エリアが確保されており、現行紙幣による紙幣運用モード（旧紙幣モードという。）の以下に示す設定が格納されている。
すなわち、現在モード格納エリアには旧紙幣モードが、紙幣設定格納エリアには入金鑑別部１２および出金鑑別部１６はその鑑別する紙幣の種類として旧紙幣および２千券（４種類）、紙幣入出金ユニット７の金種別入出金金庫１４ａは旧万券の正券と損券、金種別入出金金庫１４ｂは旧５千券の正券と損券、金種別入出金金庫１４ｃは２千券の正券と損券、金種別入出金金庫１４ｄは旧千券の正券と損券、リジェクト庫１８はリジェクト券、損券庫１５は旧紙幣および２千券の損券、施封小束支払ユニット８の金種別小束金庫２１ａと２１ｂは旧万券の正券、金種別小束金庫２１ｃと２１ｄは旧千券の正券、新札支払ユニット１０の金種別新札金庫３１ａは旧万券の新札、金種別新札金庫３１ｂは旧千券の新札、金種別新札金庫３１ｃは旧５千券の新札、金種別新札金庫３１ｄは２千券の新札からなる紙幣設定が格納されている。
【００２８】
以下に、図５に示すフローチャートを用い、Ｓで示すステップに従って本実施例の業務処理について説明する。
Ｓ１、出納装置１の出納制御部２の主制御部３は、「業務処理プログラム」によりその表示操作部５の画面に通常の業務選択ボタンに「運用モード切替」ボタンを加えた業務選択画面を表示して待機している。
【００２９】
金融機関の係員は、出納装置１による紙幣や硬貨の入出金や精査データの出力等の取引業務を行う場合に、表示されている業務選択ボタンを押下する。
また、改札が行われた後、係員は中央銀行からの新紙幣の供給量および市場から回収される新紙幣の量（これらをまとめて新紙幣供給量という。）に応じて表示されている業務選択画面から紙幣運用モードを切替えるために「運用モード切替」ボタンを押下する。
【００３０】
Ｓ２、係員が選択した業務選択ボタンの内容をタッチパネルの位置信号により認識した主制御部３は、「運用モード切替」ボタンが押下された場合は「紙幣運用モード切替サブプログラム」に分岐してステップＳ３へ移行する。
「運用モード切替」ボタン以外のボタンが押下された場合はステップＳ８へ移行する。
【００３１】
Ｓ３、主制御部３は、「紙幣運用モード切替サブプログラム」により表示操作部５の画面に図６に示す紙幣運用モード選択画面を表示する。
紙幣運用モード選択画面には、モード選択ボタンの押下を促す旨の文言および現行モード表示欄４１、並びにモード選択ボタンとして導入期モードに切替えるための「導入期」ボタン、移行前期モードに切替えるための「移行前期」ボタン、移行後期モードに切替えるための「移行後期」ボタン、新紙幣モードに切替えるための「新紙幣」ボタンおよび紙幣運用モードの切替を取り止めるための「取消」ボタンが表示される。
【００３２】
なお、現行モード表示欄４１の紙幣運用モードの表示は、記憶部６の現在モード格納エリアに格納されているその時の紙幣運用モードが表示される。
図６の例は、現行モード表示欄４１に上記の現在モード、つまり「旧紙幣モード」を表示した紙幣運用モード選択画面である。
係員は表示操作部５の画面から切替える紙幣運用モードを選択し、そのモード選択ボタンを押下する。なお、係員は紙幣運用モードの切替を取り止めるときは「取消」ボタンを押下する。
【００３３】
Ｓ４、押下されたモード選択ボタンの内容をタッチパネルからの位置信号により認識した主制御部３は、「取消」ボタンが押下された場合は「紙幣運用モード切替サブプログラム」を終了させて「業務処理プログラム」へ復帰し、ステップＳ１に戻って待機する。
「取消」ボタン以外のモード選択ボタンが押下された場合はステップＳ５へ移行する。
【００３４】
Ｓ５、主制御部３は、認識したモード選択ボタンの内容が導入期モードである場合は、接続子Ａを介して接続する図７に示す導入期モードへの切替処理を実行する。それ以外のモード選択ボタンの場合はステップＳ６へ移行する。
Ｓ６、主制御部３は、認識したモード選択ボタンの内容が移行前期モードである場合は、接続子Ｃを介して接続する図１３に示す移行前期モードへの切替処理を実行する。それ以外のモード選択ボタンの場合はステップＳ７へ移行する。
【００３５】
Ｓ７、主制御部３は、認識したモード選択ボタンの内容が移行後期モードである場合は、接続子Ｅを介して接続する図１７に示す移行後期モードへの切替処理を実行する。
認識したモード選択ボタンの内容がそれ以外、つまり新紙幣モードである場合は、接続子Ｇを介して接続する図２１に示す新紙幣モードへの切替処理を実行する。
【００３６】
Ｓ８、係員が選択した業務選択ボタンの内容を取引業務と認識した主制御部３は、その内容が紙幣の入金処理や出金処理（回収処理を含む。）等の紙幣処理の場合はステップＳ１０へ、その内容が硬貨の入金処理や出金処理、精査データの出力等の紙幣処理以外の他の取引業務である場合はステップＳ９へ移行する。
Ｓ９、主制御部３は「業務処理プログラム」により他の取引業務を実行する。
【００３７】
なお、主制御部３が行う他の取引業務の業務処理は、通常の場合と同様であるのでその説明を省略する。
Ｓ１０、主制御部３は、「業務処理プログラム」により現行モード格納エリアを参照し、その紙幣運用モードが導入期モードである場合は、接続子Ｂを介して接続する図１２に示す導入期モードの紙幣処理を実行する。それ以外の紙幣運用モードの場合はステップＳ１１へ移行する。
【００３８】
Ｓ１１、主制御部３は、現行モード格納エリアの紙幣運用モードが移行前期モードである場合は、接続子Ｄを介して接続する図１４に示す移行前期モードの紙幣処理を実行する。それ以外の紙幣運用モードの場合はステップＳ１２へ移行する。
Ｓ１２、主制御部３は、現行モード格納エリアの紙幣運用モードが移行後期モードである場合は、接続子Ｆを介して接続する図１８に示す移行後期モードの紙幣処理を実行する。それ以外の紙幣運用モードの場合はステップＳ１３へ移行する。
【００３９】
Ｓ１３、主制御部３は、現行モード格納エリアの紙幣運用モードが新紙幣モードである場合は、接続子Ｈを介して接続する図２２に示す新紙幣モードの紙幣処理を実行する。それ以外の紙幣運用モード、つまり旧紙幣モードの場合はステップＳ１４へ移行する。
Ｓ１４、主制御部３は「業務処理プログラム」により旧紙幣モードの紙幣処理を実行する。
【００４０】
なお、主制御部３が行う旧紙幣モードの紙幣処理は、通常の場合と同様であるのでその説明を省略する。
また、それぞれの業務処理の終了後には、主制御部３はステップＳ１へ戻って待機する。
上記のようにして、本実施例の業務処理が実行される。
【００４１】
改札が実施され中央銀行からの新紙幣の供給が始まると、係員は紙幣運用モードを導入期モードへ切替えるために業務選択画面から「運用モード切替」ボタンを押下し、次いで表示される紙幣運用モード選択画面から「導入期モード」を選択して押下する。
導入期モードは、新紙幣の改刷直後等の中央銀行からの新紙幣の供給が十分ではなく、市場から回収される新紙幣がほとんどない場合、つまり新紙幣供給量が非常に少ない場合の紙幣運用モードであって、取引における入金は新旧紙幣と２千券を混在させて行い、出金は紙幣入出金ユニット７からは旧紙幣のみで行い、新紙幣および２千券の出金が必要な場合には新札支払ユニットから行う。
【００４２】
以下に、旧紙幣モードを導入期モードに切替える場合の作動について図７に示すフローチャートを用い、ＳＡで示すステップに従って説明する。
ＳＡ１、主制御部３は「紙幣運用モード切替サブプログラム」により表示操作部５の画面に図８に示す紙幣運用モード切替確認画面を表示する。
紙幣運用モード切替確認画面には、切替前後の紙幣運用モードを表示する切替前運用モード表示欄４２と切替後運用モード表示欄４３および確定操作の手順を示す文言並びに紙幣運用モードの切替を確定するための「確認」ボタンと紙幣運用モードの切替を取り止めるための「取消」ボタンが表示される。
【００４３】
本処理は旧紙幣モードから導入期モードへの切替であるので、切替前運用モード表示欄４２に「旧紙幣モード」を、切替後運用モード表示欄４３に「導入期モード」を表示した紙幣運用モード切替確認画面が表示され、係員は導入期モードへの切替を確定するために「確認」ボタンを押下する。
ＳＡ２、主制御部３は「確認」ボタンが押下された場合はステップＳＡ３へ移行する。「取消」ボタンが押下された場合は、接続子Ｚを介して接続する「業務処理プログラム」へ復帰し、ステップＳ１に戻って旧紙幣モードによる業務処理を継続する。
【００４４】
ＳＡ３、主制御部３は、記憶部６に格納されている表１に示す紙幣設定テーブルから導入期モードの紙幣設定を読み出し、紙幣設定格納エリアの旧紙幣モードの紙幣設定と読み出した導入期モードの紙幣設定とを比較し、その相違を抽出して一時保存すると共に、現在モード格納エリアの紙幣運用モードを導入期モードに更新し、紙幣設定格納エリアの紙幣設定を読み出した導入期モードの紙幣設定に更新する。
【００４５】
すなわち、紙幣入出金ユニット７の金種別入出金金庫１４ａ、１４ｂ、１４ｃとリジェクト庫１８、損券庫１５、施封小束支払ユニット８の金種別小束金庫２１および新札支払ユニット１０の金種別新札金庫３１ｄの紙幣設定は旧紙幣モードのままとし、出金鑑別部１６が鑑別する紙幣の種類を旧紙幣（旧万券、旧５千券、旧千券）とし、入金鑑別部１２が鑑別する紙幣の種類を新紙幣と旧紙幣および２千券の７種類に拡大すると共に、金種別入出金金庫１４ｃが収納する紙幣を２千券および新紙幣に、新札支払ユニット１０の金種別新札金庫３１ａは新万券の新札に、金種別新札金庫３１ｂは新千券の新札に、金種別新札金庫３１ｃは新５千券の新札に変更する。
【００４６】
また、出金鑑別部１６が出金紙幣として鑑別する紙幣の種類が旧紙幣であることおよび金種別入出金金庫１４ｃに収納される紙幣が２千券と新紙幣であることによって金種別入出金金庫１４ｃの出金停止を判断し、金種別入出金金庫１４ｃを出金停止とすると共に２千券および新紙幣の出金要求があった場合には新札支払ユニット１０の金種別新札金庫３１から出金するように入金時と出金時の処理内容を変更する。
【００４７】
ＳＡ４、紙幣設定を更新した主制御部３は、表示操作部５の画面に一時保存した相違を参照して図９に示す紙幣排出通知画面を表示する。
紙幣排出通知画面には、変更が必要な金種別新札金庫３１ａ、３１ｂ、３１ｃの収納紙幣の排出を行う旨の文言、その排出紙幣の受取を促す旨の文言および表示内容を確認したことを指示するための「確認」ボタンが表示される。
【００４８】
係員は表示内容を確認すると「確認」ボタンを押下する。
ＳＡ５、「確認」ボタンが押下されたことを検知した主制御部３は、変更が必要な収納紙幣の排出処理を実行する。
すなわち、主制御部３は、新札支払ユニット１０によって図示しない支払口へ金種別新札金庫３１ａ、３１ｂ、３１ｃの収納紙幣である旧万券、旧千券、旧５千券の新札の全てを排出し、係員は支払口に排出された紙幣を回収する。
【００４９】
ＳＡ６、支払口の図示しない受取検知センサにより係員の回収を監視しながら係員の排出紙幣の回収を待つ排出紙幣回収待ち状態で待機していた主制御部３は、支払口の受取検知センサが排出紙幣の引き抜きを検知してから所定の時間経過したことにより回収終了を認識し、これを契機にステップＳＡ７へ移行する。
ＳＡ７、排出紙幣の回収を認識した主制御部３は、表示操作部５の画面に一時保存した相違を参照して図１０に示す紙幣補充依頼画面を表示する。
【００５０】
紙幣補充依頼画面には、紙幣の補充を促す文言と各金庫の変更の有無および紙幣の補充が必要となる金種別新札金庫３１ａ、３１ｂ、３１ｃの紙幣設定が表示される。
ＳＡ８、紙幣補充依頼画面を表示を終えた主制御部３は、空になった金庫に紙幣を収納するために紙幣の補充処理を実行する。
【００５１】
本処理は導入期モードへの切替であるので、主制御部３は係員が行う新札支払ユニット１０の金種別新札金庫３１ａ、３１ｂ、３１ｃの施錠を開錠検知センサにより監視しながら補充作業終了待ち状態で待機する。
係員は表示された内容に従って、特定の係員に依頼してまたは特定の係員から鍵を借り受けて金種別新札金庫３１ａ、３１ｂ、３１ｃを開錠し、所定の枚数の新万券、新千券、新５千券の新札を補充して施錠する。
【００５２】
この施錠の際に開錠検知センサが発した施錠信号を補充作業終了待ち状態で待機していた主制御部３が受信し、これを契機としてステップＳＡ９へ移行する。
ＳＡ９、このようにして収納紙幣を変更する金庫の紙幣を入替えた主制御部３は、表示操作部５の画面に図１１に示す紙幣運用モード切替終了画面を表示する。
【００５３】
紙幣運用モード切替終了画面には、紙幣運用モードの切替が終了した旨の文言、切替後の現在モードを表示する切替後現在モード表示欄４４、確認操作の手順および表示内容を確認したことを指示するための「確認」ボタンが表示される。
本処理では、切替後現在モード表示欄４４に「導入期モード」を表示した紙幣運用モード切替終了画面が表示される。
【００５４】
係員はこの表示内容を確認して「確認」ボタンを押下し、これを検知した主制御部３は、一時保存していた相違を消去し、接続子Ｚを介して接続する「業務処理プログラム」へ復帰し、図５に示すステップＳ１に戻って表示操作部５の画面に業務選択画面を表示して待機し、現在モード格納エリアの紙幣運用モードと紙幣設定格納エリアの紙幣設定を基に導入期モードによる業務処理を開始する。
【００５５】
このようにして旧紙幣モードから導入期モードへの紙幣運用モードの切替が行われる。
以下に、導入期モードによる紙幣処理の作動を図１２のＳＢで示すステップに従って説明する。
図５に示すステップＳ１０において、現行モード格納エリアの紙幣運用モードが導入期モードである場合は、「業務処理プログラム」により導入期モードの紙幣処理が実行される。
【００５６】
ＳＢ１、主制御部３は、係員が押下した業務選択ボタンの内容をタッチパネルの位置信号により認識し、「入金処理」ボタンが押下された場合はステップＳＢ２へ、「出金処理」ボタンが押下された場合はステップＳＢ５へ移行する。
ＳＢ２、主制御部３は、入金処理のために表示操作部５の画面に入金口１１への紙幣の投入を促す旨の文言を表示した紙幣投入依頼画面を表示し、係員はこれに従って紙幣入出金ユニット７の入金口１１へ紙幣を投入する。
【００５７】
本処理は導入期モードであるので、係員は新旧紙幣と２千券を混在させて入金口１１へ紙幣を投入する。
ＳＢ３、係員の投入終了を待って待機していた主制御部３は、図示しない投入検知センサが係員の手の引き抜きを検知してから所定の時間経過したことにより投入終了を認識し、これを契機にステップＳＢ４へ移行する。
【００５８】
ＳＢ４、主制御部３は投入された投入紙幣の収納を実行する。
すなわち、主制御部３は入金口１１へ投入された新旧紙幣等が混在した投入紙幣を入金口１１から繰出して搬送路１３ａにより入金鑑別部１２へ搬送する。
入金鑑別部１２では、搬送された紙幣の真偽、正損、新旧、金種、搬送異常等の鑑別を行い、その鑑別結果を主制御部３へ転送する。
【００５９】
主制御部３は、鑑別結果を基に鑑別された紙幣が真券である場合は、その紙幣の正損に関わらず紙幣を搬送路１３ｂ、１３ｃにより入金鑑別部１２から金種別入出金金庫１４へ搬送し、その紙幣が旧万券のときは金種別入出金金庫１４ａへ、その紙幣が旧５千券のときは金種別入出金金庫１４ｂへ、その紙幣が２千券および新紙幣のときは金種別入出金金庫１４ｃへ、その紙幣が旧千券のときは金種別入出金金庫１４ｄへ搬送して収納する。
【００６０】
鑑別された紙幣が偽券や外国紙幣および搬送異常等により鑑別できない紙幣等の異常紙幣の場合は、主制御部３は異常紙幣を搬送路１３ｂ、１３ｆ、１３ｅにより出金口１７へ搬送して係員に返却する。
上記の作動を繰り返しながら導入期モードによる投入紙幣の入金処理が継続される。
【００６１】
この入金処理の過程で、旧万券を収納する紙幣入出金金庫１４ａまたは旧千券を収納する紙幣入出金金庫１４ｄがほぼ満杯になるニアフル状態となったときは、入金口１１からの投入紙幣の繰出を一時停止し、自動でまたは係員の入力を認識して紙幣入出金金庫１４ａまたは１４ｄから旧万券または旧千券を搬送路１３ｄへ繰出し、搬送路１３ｄにより出金鑑別部１６へ搬送する。
【００６２】
出金鑑別部１６では、搬送された紙幣の真偽、正損、新旧、金種、異常搬送等の鑑別を行い、その鑑別結果を主制御部３へ転送する。
主制御部３は、鑑別結果を基に鑑別された紙幣が真券であり、かつ旧紙幣の正券である場合は、その紙幣を搬送路１３ｅ、１３ｆ、１３ｂ、１３ｃおよびユニット間搬送路９により出金鑑別部１６から金種別入出金金庫１４や損券庫１５を通過させて施封小束支払ユニット８へ搬送し、施封小束支払ユニット８により紙幣を小束にしてその紙幣が旧万券のときは金種別小束金庫２１ａまたは２１ｂへ、その紙幣が旧千券のときは金種別小束金庫２１ｃまたは２１ｄへ収納する。
【００６３】
鑑別された紙幣が旧紙幣の損券である場合は、主制御部３はその損券を搬送路１３ｅ、１３ｆ、１３ｂ、１３ｃにより出金鑑別部１６から金種別入出金金庫１４を通過させて損券庫１５へ搬送して収納する。
鑑別された紙幣が異常搬送等によるリジェクト券の場合は、主制御部３はそのリジェクト券を搬送路１３ｅ、１３ｇによりリジェクト庫１８へ搬送して収納する。
【００６４】
この施封小束作動の終了後、主制御部３は上記の入金処理を再開する。
入金処理の過程で、２千券および新紙幣を収納する紙幣入出金金庫１４ｃがニアフル状態となったときは、入金口１１からの投入紙幣の繰出を一時停止し、自動でまたは係員の入力を認識して紙幣入出金金庫１４ｃから収納紙幣を搬送路１３ｄへ繰出して搬送し、出金鑑別部１６を通過させて搬送路１３ｅにより出金口１７へ搬送して回収する。紙幣入出金金庫１４ｂの旧５千券がニアフル状態となったときも同様である。
【００６５】
この場合に、紙幣入出金金庫１４ｃの収納紙幣を出金鑑別部１６を通過させた後に搬送路１３ｅ、１３ｆ、１３ｂ、１３ｃにより損券庫１５へ搬送して回収するようにしてもよい。
この回収作動の終了後、主制御部３は上記の入金処理を再開する。
上記のようにして全ての投入紙幣の入金処理を終了すると、主制御部３は紙幣処理を終了させ、接続子Ｚを介して接続する「業務処理プログラム」へ復帰し、図５に示すステップＳ１に戻って表示操作部５の画面に業務選択画面を表示して待機し、現在モード格納エリアの紙幣運用モードと紙幣設定格納エリアの紙幣設定を基に導入期モードによる業務処理を継続する。
【００６６】
ＳＢ５、出金処理の選択を認識した主制御部３は、出金処理のために表示操作部５の画面に出金内容の入力を促す旨の文言、出金額や金種毎の枚数等の指定を入力するための入力欄を表示した出金内容入力画面を表示する。
係員はこれに従って、出金額と１万円、２千円、千円の枚数等の指定を出金内容入力画面から入力する。
【００６７】
ＳＢ６、主制御部３は、入力された出金額や金種の枚数等の指定を認識し、この指定に基づいて紙幣の払出を実行する。
本処理は導入期モードであるので、主制御部３は係員が指定した万券と千券を払出すために、金種別入出金金庫１４ａと１４ｄから指定された枚数の旧万券と旧千券を順次に搬送路１３ｄへ繰出し、搬送路１３ｄにより出金鑑別部１６へ搬送する。
【００６８】
出金鑑別部１６では、搬送された紙幣の真偽、正損、新旧、金種、搬送異常等の鑑別を行い、その鑑別結果を主制御部３へ転送する。
主制御部３は、鑑別結果を基に鑑別された紙幣が真券でありかつ旧紙幣の正券である場合は、その紙幣を搬送路１３ｅにより出金口１７へ搬送して集積する。
鑑別された紙幣が旧紙幣の損券である場合は、主制御部３はその損券を搬送路１３ｅ、１３ｆ、１３ｂ、１３ｃにより出金鑑別部１６から金種別入出金金庫１４を通過させて損券庫１５へ搬送して収納する。
【００６９】
鑑別された紙幣が搬送異常等によるリジェクト券の場合は、主制御部３はそのリジェクト券を搬送路１３ｅ、１３ｇによりリジェクト庫１８へ搬送して収納する。
上記の処理と並行して、主制御部３は係員が指定した２千券を払出すために、新札支払ユニット１０によって金種別新札金庫３１ｄに収納されている２千券の新札を指定された枚数繰出して図示しない支払口へ搬送して集積する。
【００７０】
なお、係員の指定が新紙幣である場合は、その金種の紙幣を上記と同様にして指定された金種の金種別新札金庫３１から繰出して支払口へ集積する。
また、係員の指定に小束を含む場合は、主制御部３は施封小束支払ユニット８によって、指定金種の金種別小束金庫２１から指定された数繰出して施封小束支払ユニット８の図示しない払出口へ集積する。
【００７１】
このとき、小束紙幣が不足する場合は、出金口１７への出金紙幣の集積を一時停止し、主制御部３は自動でまたは係員の入力を認識してステップＳＢ４の施封小束作動と同様にして金種別小束金庫２１へ小束紙幣を収納した後に上記払出口への集積を行う。
このようにして、入力された金種等の指定に応じて紙幣を払出す出金処理が行われる。
【００７２】
なお、回収処理が選択された場合は、その指定された金庫が金種別入出金金庫１４の場合は、指定された金種別入出金金庫１４に収納されている全ての収納紙幣を搬送路１３ｄへ繰出して搬送し、出金鑑別部１６を通過させて搬送路１３ｅにより出金口１７へ搬送して集積する。
指定された金庫が金種別小束金庫２１または金種別新札金庫３１の場合は、上記の施封小束支払ユニット８または新札支払ユニット１０による集積の作動と同様にして全ての収納小束紙幣または収納紙幣を払出口または支払口へ搬送して集積する。
【００７３】
このようにして、回収処理が行われる。
ＳＢ７、出金処理を終えた主制御部３は、出金紙幣を集積した出金口１７および支払口のそれぞれの受取検知センサにより紙幣の受取を監視しながら係員の出金紙幣等の受取を待つ受取終了待ち状態で待機し、出金紙幣を集積した出金口１７等の全ての受取検知センサが集積した出金紙幣等の引き抜きを検知してから所定の時間経過したことにより受取終了を認識し、これを契機に紙幣処理を終了させ、接続子Ｚを介して接続する「業務処理プログラム」へ復帰し、図５に示すステップＳ１に戻って表示操作部５の画面に業務選択画面を表示して待機し、現在モード格納エリアの紙幣運用モードと紙幣設定格納エリアの紙幣設定を基に導入期モードによる業務処理を継続する。
【００７４】
なお、小束紙幣が払出口に集積された場合も同様である。
以上のように、導入期モードは中央銀行から供給される新紙幣が少ない等の新紙幣供給量が非常に少ない時期に有用な紙幣運用モードである。
中央銀行からの新紙幣が十分に供給されるようになり、市場から回収される新紙幣が少なからず回収される場合、つまり新紙幣供給量は少ないが、出金取引には支障がない程度の新紙幣供給量の場合は、金融機関の係員は市場の旧紙幣を回収して市場を新紙幣の使用環境に移行させるために紙幣運用モードを導入期モードから移行前期モードへ切替える。
【００７５】
移行前期モードは、取引における入金を新旧紙幣と２千券を混在させて行い、出金は新紙幣のみで行う。
以下に、図１３および図１４に示すフローチャートを用い、ステップＳＣおよびステップＳＤに従って、移行前期モードへの切替処理および移行前期モードの紙幣処理の作動について説明する。
【００７６】
なお、以下に示す各ステップにおいて上記の導入期モードへの切替処理および導入期モードの紙幣処理の作動（導入期モードの作動という。他の紙幣運用モードの場合も同様にして引用する。）と同様の作動は、その旨を記載して簡略に説明する。
ＳＣ１、導入期モードの作動のステップＳＡ１と同様にして主制御部３は、図８に示す紙幣運用モード切替確認画面を表示する。
【００７７】
本処理は導入期モードから移行前期モードへの切替であるので、切替前運用モード表示欄４２に「導入期モード」を、切替後運用モード表示欄４３に「移行前期モード」を表示した紙幣運用モード切替確認画面が表示され、係員は移行前期モードへの切替を確定するために「確認」ボタンを押下する。
ＳＣ２、導入期モードの作動のステップＳＡ２と同様にして主制御部３は、「確認」ボタンが押下された場合はステップＳＣ３へ移行し、「取消」ボタンが押下された場合は接続子Ｚを介してステップＳ１に戻り、導入期モードによる取引を継続する。
【００７８】
ＳＣ３、導入期モードの作動のステップＳＡ３と同様にして主制御部３は、表１に示す紙幣設定テーブルから移行前期モードの紙幣設定を読み出してその相違を一時保存すると共に、現在モード格納エリアの紙幣運用モードを移行前期モードに更新し、紙幣設定格納エリアの紙幣設定を読み出した移行前期モードの紙幣設定に更新する。
【００７９】
すなわち、リジェクト庫１８と新札支払ユニット１０の金種別新札金庫３１の紙幣設定および入金鑑別部１２が鑑別する紙幣の種類は導入期モードのままとし、出金鑑別部１６が鑑別する紙幣の種類を新紙幣（新万券、新５千券、新千券）に変更すると共に金種別入出金金庫１４ａが収納する紙幣を新万券、金種別入出金金庫１４ｂが収納する紙幣を新５千券、金種別入出金金庫１４ｃが収納する紙幣を２千券および旧紙幣、金種別入出金金庫１４ｄが収納する紙幣を新千券に、損券庫が収納する紙幣を新紙幣の損券に、施封小束支払ユニット８の金種別小束金庫２１ａと２１ｂは新万券の正券に、金種別小束金庫２１ｃと２１ｄは新千券の正券に変更する。
【００８０】
また、出金鑑別部１６が出金紙幣として鑑別する紙幣の種類が新紙幣であることおよび金種別入出金金庫１４ｃに収納される紙幣が２千券と旧紙幣であることによって金種別入出金金庫１４ｃの出金停止を判断し、金種別入出金金庫１４ｃを出金停止とすると共に２千券の出金要求があった場合には新札支払ユニット１０の金種別新札金庫３１ｄから出金するように入金時と出金時の処理内容を変更する。
【００８１】
ＳＣ４、導入期モードの作動のステップＳＡ４と同様にして主制御部３は、一時保存した相違を参照して図１５に示す紙幣排出通知画面を表示する。
紙幣排出通知画面には、変更が必要な金種別入出金金庫１４ａ、１４ｂ、１４ｃ、１４ｄおよび金種別小束金庫２１ａ、２１ｂ、２１ｃ、２１ｄの収納紙幣および収納小束紙幣の排出を行う旨の文言、その排出紙幣の受取を促す旨の文言および表示内容を確認したことを指示するための「確認」ボタンが表示される。
【００８２】
係員は表示内容を確認すると、「確認」ボタンを押下する。
ＳＣ５、「確認」ボタンが押下されたことを検知した主制御部３は、変更が必要な収納紙幣の排出処理を実行する。
すなわち、主制御部３は、導入期モードの作動のステップＳＢ６の回収処理の作動と同様にして金種別入出金金庫１４と金種別小束金庫２１の収納紙幣と収納小束紙幣を出金口１７と払出口へ順次に集積して排出し、係員は出金口１７等に排出された排出紙幣等を回収する。
【００８３】
ＳＣ６、出金口１７と払出口の図示しない受取検知センサにより係員の回収を監視しながら係員の排出紙幣と排出小束紙幣の回収を待つ排出紙幣回収待ち状態で待機していた主制御部３は、出金口１７と払出口のそれぞれの受取検知センサが排出紙幣や排出小束紙幣の引き抜きを検知してから所定の時間経過したことにより出金口１７と払出口からの紙幣の回収終了を認識し、これを契機にステップＳＣ７へ移行する。
【００８４】
ＳＣ７、導入期モードの作動のステップＳＡ７と同様にして主制御部３は、一時保存した相違を参照して図１６に示す紙幣補充依頼画面を表示する。
紙幣補充依頼画面には、紙幣の補充を促す文言と各金庫の変更の有無および紙幣の補充が必要となる金種別入出金金庫１４ａ、１４ｂ、１４ｃ、１４ｄと金種別小束金庫２１ａ、２１ｂ、２１ｃ、２１ｄの紙幣設定が表示される。
【００８５】
係員は、表示された内容に従って入金口へ新紙幣と２千券を投入する。
ＳＣ８、導入期モードの作動のステップＳＢ３と同様にして主制御部３は、入金口１１への投入終了を認識し、紙幣の補充処理を実行する。
本処理は移行前期モードへの切替であるので、主制御部３は導入期モードの作動のステップＳＢ４の入金処理の作動と同様にして、入金口１１へ投入された新紙幣と２千券が混在した補充紙幣を入金口１１から繰出して入金鑑別部１２へ搬送し、入金鑑別部１２の鑑別結果を基に鑑別された紙幣の正損に関わらず、紙幣を金種別入出金金庫１４へ搬送し、その紙幣が新万券のときは金種別入出金金庫１４ａへ、その紙幣が新５千券のときは金種別入出金金庫１４ｂへ、その紙幣が２千券のときは金種別入出金金庫１４ｃへ、その紙幣が新千券のときは金種別入出金金庫１４ｄへ搬送して収納する。
【００８６】
この過程で、新万券を収納する紙幣入出金金庫１４ａまたは新千券を収納する紙幣入出金金庫１４ｄがニアフル状態となったときは、主制御部３は導入期モードの作動のステップＳＢ４のニアフル状態のときの作動と同様にして新万券または新千券を繰出して出金鑑別部１６へ搬送し、出金鑑別部１６の鑑別結果を基に鑑別された紙幣が新紙幣の正券である場合は、その紙幣を施封小束支払ユニット８へ搬送し、紙幣を小束にしてその紙幣が新万券のときは金種別小束金庫２１ａまたは１４ｂへ、その紙幣が新千券のときは金種別小束金庫２１ｃまたは１４ｄへ収納する。
【００８７】
鑑別された紙幣が新紙幣の損券である場合は、主制御部３はその損券を出金鑑別部１６から損券庫１５へ搬送して収納する。
鑑別された紙幣が搬送異常等によるリジェクト券の場合は、主制御部３はそのリジェクト券をリジェクト庫１８へ搬送して収納する。
このようにして、移行前期モードへの切替に伴う補充処理が行われる。
【００８８】
なお、補充処理の過程で、新５千券または２千券が所定の枚数を超えた場合は、主制御部３は導入期モードの作動のステップＳＢ４の回収作動と同様にして、新５千券または２千券を出金口１７または損券庫１５へ搬送して回収する。
また、入金鑑別部１２で鑑別された紙幣が異常紙幣の場合は、主制御部３はその異常紙幣を出金口１７へ搬送して係員に返却する。
【００８９】
ＳＣ９、このようにして収納紙幣を変更する金庫の紙幣を入替えた主制御部３は、導入期モードの作動のステップＳＡ９と同様にして紙幣運用モード切替終了画面を表示する。
本処理では、切替後現在モード表示欄４４に「移行前期モード」を表示した紙幣運用モード切替終了画面が表示される。
【００９０】
係員の「確認」ボタンの押下を検知した主制御部３は、一時保存していた相違を消去し、接続子Ｚを介して図５に示すステップＳ１に戻って待機し、現在モード格納エリアの紙幣運用モードと紙幣設定格納エリアの紙幣設定を基に移行前期モードによる業務処理を開始する。
このようにして導入期モードから移行前期モードへの紙幣運用モードの切替が行われる。
【００９１】
次に、移行前期モードによる紙幣処理の作動を図１４のＳＤで示すステップに従って説明する。
図５に示すステップＳ１１において、現行モード格納エリアの紙幣運用モードが移行前期モードである場合は、「業務処理プログラム」により移行前期モードの紙幣処理が実行される。
【００９２】
ＳＤ１、主制御部３は、導入期モードの作動のステップＳＢ１と同様にして「入金処理」ボタンが押下された場合はステップＳＤ２へ、「出金処理」ボタンが押下された場合はステップＳＤ５へ移行する。
ＳＤ２、主制御部３は、導入期モードの作動のステップＳＢ２と同様にして係員は画面の表示に従って入金口１１へ紙幣を投入する。
【００９３】
本処理は移行前期モードであるので、係員は新旧紙幣と２千券を混在させて入金口１１へ紙幣を投入する。
ＳＤ３、係員の投入終了を待って待機していた主制御部３は、導入期モードの作動のステップＳＢ３と同様にしてステップＳＤ４へ移行する。
ＳＤ４、主制御部３は投入された投入紙幣の収納を実行する。
【００９４】
すなわち、主制御部３は導入期モードの作動のステップＳＢ４と同様にして入金口１１へ投入された投入紙幣を入金鑑別部１２へ搬送し、入金鑑別部１２の鑑別結果を基に鑑別された紙幣が真券である場合は、その紙幣の正損に関わらず紙幣を金種別入出金金庫１４へ搬送し、その紙幣が新万券のときは金種別入出金金庫１４ａへ、その紙幣が新５千券のときは金種別入出金金庫１４ｂへ、その紙幣が２千券および旧紙幣のときは金種別入出金金庫１４ｃへ、その紙幣が新千券のときは金種別入出金金庫１４ｄへ搬送して収納する。
【００９５】
鑑別された紙幣が異常紙幣の場合は、主制御部３はその異常紙幣を出金口１７へ搬送して係員に返却する。
上記の作動を繰り返しながら移行前期モードによる投入紙幣の入金処理が継続される。
この入金処理の過程で、新万券を収納する紙幣入出金金庫１４ａまたは新千券を収納する紙幣入出金金庫１４ｄがニアフル状態となったときの作動は、導入期モードの作動のステップＳＢ４の施封小束作動と同様であるのでその説明を省略する。
【００９６】
また、新５千券または２千券と旧紙幣を収納する紙幣入出金金庫１４ｂまたは１４ｃがニアフル状態となったときの作動は、導入期モードの作動のステップＳＢ４の回収作動と同様であるのでその説明を省略する。
このようにして全ての投入紙幣の入金処理を終了すると、主制御部３は紙幣処理を終了させ、接続子Ｚを介して図５に示すステップＳ１に戻って待機し、移行前期モードによる業務処理を継続する。
【００９７】
ＳＤ５、出金処理の選択を認識した主制御部３は、導入期モードの作動のステップＳＢ５と同様にして出金内容入力画面を表示する。
係員はこれに従って、出金額と１万円、２千円、千円の枚数等の指定を出金内容入力画面から入力する。
ＳＤ６、主制御部３は、入力された出金額や金種の枚数等の指定を認識し、この指定に基づいて導入期モードの作動のステップＳＢ６と同様に紙幣の払出を実行する。
【００９８】
本処理は移行前期モードであるので、主制御部３は係員が指定した万券と千券を払出すために、金種別入出金金庫１４ａと１４ｄから指定された枚数の新万券と新千券を順次に出金鑑別部１６へ搬送し、出金鑑別部１６の鑑別結果を基に鑑別された紙幣が真券でありかつ新紙幣の正券である場合は、その紙幣を搬送路１３ｅにより出金口１７へ搬送して集積する。
【００９９】
鑑別された紙幣が新紙幣の損券である場合は、その損券を損券庫１５へ搬送して収納する。
鑑別された紙幣が搬送異常等によるリジェクト券の場合は、リジェクト券をリジェクト庫１８へ搬送して収納する。
上記の処理と並行して、主制御部３は係員が指定した２千券を払出すために、新札支払ユニット１０によって金種別新札金庫３１ｄに収納されている２千券の新札を指定された枚数繰出して図示しない支払口へ搬送して集積する。
【０１００】
なお、係員の指定が新札である場合は、その金種の新札を上記と同様にして指定された金種の金種別新札金庫３１から繰出して支払口へ集積する。
また、係員の指定に小束を含む場合は、主制御部３は導入モードの作動のステップＳＢ６の場合と同様にして払出口へ小束紙幣を集積する。
このようにして、入力された金種等の指定に応じた出金紙幣の出金処理が行われる。
【０１０１】
なお、回収処理が選択された場合の作動は、導入期モードの作動のステップＳＢ６の場合と同様であるのでその説明を省略する。
ＳＤ７、出金処理を終えた主制御部３は、導入期モードの作動のステップＳＢ６と同様にして受取終了を認識し、紙幣処理を終了させて接続子Ｚを介して図５に示すステップＳ１に戻って待機し、移行前期モードによる業務処理を継続する。
【０１０２】
以上のように、移行前期モードは中央銀行からの新紙幣の供給は十分であるが市場から回収される新紙幣が少なく、市場の旧紙幣の回収を促進する時期に有用な紙幣運用モードである。
移行前期モードの運用により市場の旧紙幣が回収されて新紙幣の流通が促進され、金融機関で回収される新紙幣の量が増加すると、係員は出納装置１を市場の新紙幣の使用環境に適合させる前段階として紙幣運用モードを移行前期モードから移行後期モードへ切替える。
【０１０３】
移行後期モードは、取引における入金の新旧紙幣と２千券の混在を許容し、出金を改刷後の流通紙幣である新紙幣と２千券で行う。
以下に、図１７および図１８に示すフローチャートを用い、ステップＳＥおよびステップＳＦに従って、移行後期モードへの切替処理および移行後期モードの紙幣処理の作動について説明する。
【０１０４】
ＳＥ１、導入期モードの作動のステップＳＡ１と同様にして主制御部３は、図８に示す紙幣運用モード切替確認画面を表示する。
本処理は移行前期モードから移行後期モードへの切替であるので、切替前運用モード表示欄４２に「移行前期モード」を、切替後運用モード表示欄４３に「移行後期モード」を表示した紙幣運用モード切替確認画面が表示され、係員は移行後期モードへの切替を確定するために「確認」ボタンを押下する。
【０１０５】
ＳＥ２、導入期モードの作動のステップＳＡ２と同様にして主制御部３は、「確認」ボタンが押下された場合はステップＳＥ３へ移行し、「取消」ボタンが押下された場合は接続子Ｚを介してステップＳ１に戻り、移行前期モードによる取引を継続する。
ＳＥ３、導入期モードの作動のステップＳＡ３と同様にして主制御部３は、表１に示す紙幣設定テーブルから移行後期モードの紙幣設定を読み出してその相違を一時保存すると共に、現在モード格納エリアの紙幣運用モードを移行後期モードに更新し、紙幣設定格納エリアの紙幣設定を読み出した移行後期モードの紙幣設定に更新する。
【０１０６】
すなわち、リジェクト庫１８と施封小束支払ユニット８の金種別小束金庫２１、新札支払ユニット１０の金種別新札金庫３１の紙幣設定および入金鑑別部１２が鑑別する紙幣の種類は移行前記期モードのままとし、出金鑑別部１６が鑑別する紙幣の種類を新紙幣と２千券に変更する共に金種別入出金金庫１４ａが収納する紙幣を新旧万券、金種別入出金金庫１４ｂが収納する紙幣を新旧５千券、金種別入出金金庫１４ｃが収納する紙幣を２千券、金種別入出金金庫１４ｄが収納する紙幣を新旧千券に、損券庫が収納する紙幣を新紙幣の損券と旧紙幣に変更する。
【０１０７】
なお、移行後期モードにおいては、出金停止とする金種別入出金金庫１４は存在しなくなる。
ＳＥ４、導入期モードの作動のステップＳＡ４と同様にして主制御部３は、一時保存した相違を参照して図１９に示す紙幣排出通知画面を表示する。
紙幣排出通知画面には、変更が必要な金種別入出金金庫１４ａ、１４ｂ、１４ｃ、１４ｄの収納紙幣の排出を行う旨の文言、その排出紙幣の受取を促す旨の文言および表示内容を確認したことを指示するための「確認」ボタンが表示される。
【０１０８】
係員は表示内容を確認すると、「確認」ボタンを押下する。
ＳＥ５、「確認」ボタンが押下されたことを検知した主制御部３は、変更が必要な収納紙幣の排出処理を実行する。
すなわち、主制御部３は、導入期モードの作動のステップＳＢ６の回収処理の作動と同様にして金種別入出金金庫１４の収納紙幣を出金口１７へ順次に集積して排出し、係員は出金口１７等に排出された排出紙幣を回収する。
【０１０９】
ＳＥ６、移行前期モードの作動のステップＳＣ６と同様にして主制御部３は出金口１７からの紙幣の回収終了を認識し、これを契機にステップＳＥ７へ移行する。
ＳＥ７、導入期モードの作動のステップＳＡ７と同様にして主制御部３は、一時保存した相違を参照して図２０に示す紙幣補充依頼画面を表示する。
【０１１０】
紙幣補充依頼画面には、新紙幣の補充を促す文言と各金庫の変更の有無および紙幣の補充が必要となる金種別入出金金庫１４ａ、１４ｂ、１４ｃ、１４ｄの紙幣設定が表示される。
係員は、表示された内容に従って入金口へ新紙幣と２千券を投入する。
ＳＥ８、導入期モードの作動のステップＳＢ３と同様にして主制御部３は、入金口１１への投入終了を認識し、紙幣の補充処理を実行する。
【０１１１】
本処理は移行後期モードへの切替であるので、主制御部３は移行前期モードの作動のステップＳＣ８と同様にして、入金口１１へ投入された新紙幣と２千券を金種別入出金金庫１４へ搬送し、それぞれの金種別入出金金庫１４に収納する。
この過程で、紙幣入出金金庫１４ａまたは１４ｄの収納紙幣が所定の枚数に達すると、入金口１１からの補充紙幣の繰出を一時停止し、表示操作部５の画面に紙幣入出金金庫１４ａまたは１４ｄに収納された紙幣が所定の枚数に達した旨の文言、施封小束支払ユニット８の金種別小束金庫２１の収納状況および係員が指示を入力するための指示ボタン等を表示した補充終了通知画面を表示する。
【０１１２】
係員の指示が金種別小束金庫２１への小束紙幣の補充であるときは、移行前期モードの作動のステップＳＣ８と同様にして金種別小束金庫２１へ小束紙幣を収納する。
係員の指示が補充終了であるときは、補充処理を終了する。
このようにして、移行後期モードへの切替に伴う補充処理が行われる。
【０１１３】
なお、補充処理の過程で、新５千券または２千券が所定の枚数を超えた場合および入金鑑別部１２で鑑別された紙幣が偽券等の異常紙幣の場合の作動は、移行前期モードの作動のステップＳＣ８の場合と同様である。
ＳＥ９、このようにして収納紙幣を変更する金庫の紙幣を入替えた主制御部３は、導入期モードの作動のステップＳＡ９と同様にして紙幣運用モード切替終了画面を表示する。
【０１１４】
本処理では、切替後現在モード表示欄４４に「移行後期モード」を表示した紙幣運用モード切替終了画面が表示される。
係員の「確認」ボタンの押下を検知した主制御部３は、一時保存していた相違を消去し、接続子Ｚを介して図５に示すステップＳ１に戻って待機し、現在モード格納エリアの紙幣運用モードと紙幣設定格納エリアの紙幣設定を基に移行後期モードによる業務処理を開始する。
【０１１５】
このようにして移行前期モードから移行後期モードへの紙幣運用モードの切替が行われる。
次に、移行後期モードによる紙幣処理の作動を図１８のＳＦで示すステップに従って説明する。
図５に示すステップＳ１２において、現行モード格納エリアの紙幣運用モードが移行後期モードである場合は、「業務処理プログラム」により移行後期モードの紙幣処理が実行される。
【０１１６】
ＳＦ１、主制御部３は、導入期モードの作動のステップＳＢ１と同様にして「入金処理」ボタンが押下された場合はステップＳＦ２へ、「出金処理」ボタンが押下された場合はステップＳＦ５へ移行する。
ＳＦ２、主制御部３は、導入期モードの作動のステップＳＢ２と同様にして係員は画面の表示に従って入金口１１へ紙幣を投入する。
【０１１７】
本処理は移行後期モードであるので、係員は新旧紙幣と２千券を混在させて入金口１１へ紙幣を投入する。
ＳＦ３、係員の投入終了を待って待機していた主制御部３は、導入期モードの作動のステップＳＢ３と同様にしてステップＳＦ４へ移行する。
ＳＦ４、主制御部３は投入された投入紙幣の収納を実行する。
【０１１８】
すなわち、主制御部３は導入期モードの作動のステップＳＢ４と同様にして入金口１１へ投入された投入紙幣を入金鑑別部１２へ搬送し、入金鑑別部１２の鑑別結果を基に鑑別された紙幣が真券である場合は、その紙幣の正損に関わらず、紙幣を金種別入出金金庫１４へ搬送し、その紙幣が新旧万券のときは金種別入出金金庫１４ａへ、その紙幣が新旧５千券のときは金種別入出金金庫１４ｂへ、その紙幣が２千券のときは金種別入出金金庫１４ｃへ、その紙幣が新旧千券のときは金種別入出金金庫１４ｄへ搬送して収納する。
【０１１９】
鑑別された紙幣が偽券等の異常紙幣の場合は、主制御部３は異常紙幣を出金口１７へ搬送して係員に返却する。
上記の作動を繰り返しながら移行後期モードによる投入紙幣の入金処理が継続される。
この入金処理の過程で、新旧万券を収納する紙幣入出金金庫１４ａまたは新旧千券を収納する紙幣入出金金庫１４ｄがニアフル状態となったときは、導入期モードの作動のステップＳＢ４の施封小束作動と同様にして新旧万券または新旧千券を出金鑑別部１６へ搬送し、出金鑑別部１６の鑑別結果を基に鑑別された紙幣が真券であり、かつ新紙幣の正券である場合は、その紙幣を施封小束支払ユニット８へ搬送し、施封小束支払ユニット８により紙幣を小束にしてその紙幣が新万券のときは金種別小束金庫２１ａまたは２１ｂへ、その紙幣が新千券のときは金種別小束金庫２１ｃまたは２１ｄへ収納する。
【０１２０】
鑑別された紙幣が新紙幣の損券または旧紙幣である場合は、主制御部３はその紙幣を損券庫１５へ搬送して収納する。
鑑別された紙幣が搬送異常等によるリジェクト券の場合は、主制御部３はそのリジェクト券をリジェクト庫１８へ搬送して収納する。
この施封小束作動の終了後、主制御部３は上記の入金処理を再開する。
【０１２１】
入金処理の過程で、新旧５千券または２千券を収納する紙幣入出金金庫１４ｂまたは１４ｃがニアフル状態となったときの作動は、導入期モードの作動のステップＳＢ４の回収作動と同様であるのでその説明を省略する。
このようにして全ての投入紙幣の入金処理を終了すると、主制御部３は紙幣処理を終了させ、接続子Ｚを介して図５に示すステップＳ１に戻って待機し、移行後期モードによる業務処理を継続する。
【０１２２】
ＳＦ５、出金処理の選択を認識した主制御部３は、導入期モードの作動のステップＳＢ５と同様にして出金内容入力画面を表示する。
係員はこれに従って、出金額と１万円、２千円、千円の枚数等の指定を出金内容入力画面から入力する。
ＳＦ６、主制御部３は、入力された出金額や金種の枚数等の指定を認識し、この指定に基づいて導入期モードの作動のステップＳＢ６と同様に紙幣の払出を実行する。
【０１２３】
本処理は移行後期モードであるので、主制御部３は係員が指定した万券と２千券と千券を払出すために、金種別入出金金庫１４ａと１４ｃと１４ｄから指定された枚数の新旧万券と２千券と新旧千券を順次に出金鑑別部１６へ搬送し、出金鑑別部１６の鑑別結果を基に鑑別された紙幣が真券でありかつ新紙幣または２千券の正券である場合は、その紙幣を出金口１７へ搬送して集積する。
【０１２４】
鑑別された紙幣が新紙幣の損券または旧紙幣である場合は、その紙幣を損券庫１５へ搬送して収納する。
鑑別された紙幣が搬送異常等によるリジェクト券の場合は、リジェクト券をリジェクト庫１８へ搬送して収納する。
なお、係員の指定が新札である場合は、その金種の新札を移行前期モードの作動のステップＳＤ６の場合と同様にして指定された金種の金種別新札金庫３１から繰出して支払口へ集積する。
【０１２５】
また、係員の指定に小束を含む場合および回収処理が選択された場合の作動は移行前期モードの作動のステップＳＤ６の場合と同様である。
このようにして、入力された金種等の指定に応じた出金紙幣の出金処理が行われる。
ＳＦ７、出金処理を終えた主制御部３は、導入期モードの作動のステップＳＢ６と同様にして出金紙幣の受取終了待ち状態で待機し、受取終了を認識して紙幣処理を終了させ、接続子Ｚを介して図５に示すステップＳ１に戻って待機し、移行後期モードによる業務処理を継続する。
【０１２６】
以上のように、移行後期モードは、市場での新紙幣への移行が進んで中央銀行からの供給および市場からの回収による新紙幣供給量が増加するが、市場から回収される旧紙幣が少なからず回収される時期に有用な紙幣運用モードである。
移行後期モードの運用により市場の旧紙幣の回収がほぼ終了し、市場が新紙幣の使用環境に近い状況になり、金融機関で回収される紙幣の大部分が新紙幣となって新紙幣供給量が新紙幣の使用環境に近づいた場合は、係員は出納装置１を市場の新紙幣の使用環境に適合させるため、紙幣運用モードを移行後期モードから新紙幣モードへ切替える。
【０１２７】
新紙幣モードは、取引における入金および出金を新紙幣と２千券で行うものであり、改刷後の新紙幣の流通環境に適合させたものであって、現行の旧紙幣による紙幣運用モードを金種をそのままにして新紙幣による紙幣運用モードに変更したものである。
以下に、図２１および図２２に示すフローチャートを用い、ステップＳＧおよびステップＳＨに従って、新紙幣モードへの切替処理および新紙幣モードの紙幣処理の作動について説明する。
【０１２８】
ＳＧ１、導入期モードの作動のステップＳＡ１と同様にして主制御部３は、図８に示す紙幣運用モード切替確認画面を表示する。
本処理は移行後期モードから新紙幣モードへの切替であるので、切替前運用モード表示欄４２に「移行後期モード」を、切替後運用モード表示欄４３に「新紙幣モード」を表示した紙幣運用モード切替確認画面が表示され、係員は新紙幣モードへの切替を確定するために「確認」ボタンを押下する。
【０１２９】
ＳＧ２、導入期モードの作動のステップＳＡ２と同様にして主制御部３は、「確認」ボタンが押下された場合はステップＳＧ３へ移行し、「取消」ボタンが押下された場合は接続子Ｚを介してステップＳ１に戻り、移行後期モードによる取引を継続する。
ＳＧ３、導入期モードの作動のステップＳＡ３と同様にして主制御部３は、表１に示す紙幣設定テーブルから新紙幣モードの紙幣設定を読み出してその相違を一時保存すると共に、現在モード格納エリアの紙幣運用モードを新紙幣モードに更新し、紙幣設定格納エリアの紙幣設定を読み出した新紙幣モードの紙幣設定に更新する。
【０１３０】
すなわち、紙幣入出金ユニット７の金種別入出金金庫１４ｃ、リジェクト庫１８、施封小束支払ユニット８の金種別小束金庫２１、新札支払ユニット１０の金種別新札金庫３１の紙幣設定および出金鑑別部１６が鑑別する紙幣の種類は移行後期モードのままとし、入金鑑別部１２が鑑別する紙幣の種類を新紙幣と２千券の４種類とする共に紙幣入出金ユニット７の金種別入出金金庫１４ａが収納する紙幣を新万券に、金種別入出金金庫１４ｂが収納する紙幣を新５千券に、金種別入出金金庫１４ｄが収納する紙幣を新千券に、損券庫が収納する紙幣を新紙幣の損券に変更する。
【０１３１】
なお、新紙幣モードにおいては、金種別入出金金庫１４ｃが収納する紙幣は移行後期モードのまま（２千券）であり、出金停止とする金種別入出金金庫１４は存在しない。
ＳＧ４、導入期モードの作動のステップＳＡ４と同様にして主制御部３は、一時保存した相違を参照して図２３に示す紙幣排出通知画面を表示する。
【０１３２】
紙幣排出通知画面には、変更が必要な金種別入出金金庫１４ａ、１４ｂ、１４ｄの収納紙幣の排出を行う旨の文言、その排出紙幣の受取を促す旨の文言および表示内容を確認したことを指示するための「確認」ボタンが表示される。
係員は表示内容を確認すると、「確認」ボタンを押下する。
ＳＧ５、「確認」ボタンが押下されたことを検知した主制御部３は、変更が必要な収納紙幣の排出処理を実行する。
【０１３３】
すなわち、主制御部３は、導入期モードの作動のステップＳＢ６の回収処理の作動と同様にして金種別入出金金庫１４ａ、１４ｂ、１４ｄの収納紙幣を出金口１６へ順次に集積して排出し、係員は出金口１６等に排出された排出紙幣を回収する。
ＳＧ６、移行前期モードの作動のステップＳＣ３と同様にして主制御部３は、出金口１６からの紙幣の回収終了を認識し、これを契機にステップＳＧ７へ移行する。
【０１３４】
ＳＧ７、導入期モードの作動のステップＳＡ７と同様にして主制御部３は、一時保存した相違を参照して図２４に示す紙幣補充依頼画面を表示する。
紙幣補充依頼画面には、新紙幣の補充を促す文言と各金庫の変更の有無および紙幣の補充が必要となる金種別入出金金庫１４ａ、１４ｂ、１４ｄの紙幣設定が表示される。
【０１３５】
係員は、表示された内容に従って入金口へ新紙幣を投入する。
ＳＧ８、導入期モードの作動のステップＳＢ３と同様にして主制御部３は、入金口１１への投入終了を認識し、紙幣の補充処理を実行する。
新紙幣モードへの切替の補充処理の作動は、移行後期モードの作動のステップＳＥ８と同様であるのでその説明を省略する。
【０１３６】
なお、本処理では２千券が投入されないため、２千券に関する作動は実行されない。
ＳＧ９、このようにして収納紙幣を変更する金庫の紙幣を入替えた主制御部３は、導入期モードの作動のステップＳＡ９と同様にして紙幣運用モード切替終了画面を表示する。
【０１３７】
本処理では、切替後現在モード表示欄４４に「新紙幣モード」を表示した紙幣運用モード切替終了画面が表示される。
係員の「確認」ボタンの押下を検知した主制御部３は、一時保存していた相違を消去し、接続子Ｚを介して図５に示すステップＳ１に戻って待機し、現在モード格納エリアの紙幣運用モードと紙幣設定格納エリアの紙幣設定を基に新紙幣モードによる業務処理を開始する。
【０１３８】
このようにして移行後期モードから新紙幣モードへの紙幣運用モードの切替が行われる。
次に、新紙幣モードによる紙幣処理の作動を図２２のＳＨで示すステップに従って説明する。
図５に示すステップＳ１３において、現行モード格納エリアの紙幣運用モードが新紙幣モードである場合は、「業務処理プログラム」により新紙幣モードの紙幣処理が実行される。
【０１３９】
ＳＨ１、主制御部３は、導入期モードの作動のステップＳＢ１と同様にして「入金処理」ボタンが押下された場合はステップＳＨ２へ、「出金処理」ボタンが押下された場合はステップＳＨ５へ移行する。
ＳＨ２、主制御部３は、導入期モードの作動のステップＳＢ２と同様にして係員は画面の表示に従って入金口１１へ紙幣を投入する。
【０１４０】
本処理は新紙幣モードであるので、係員は新紙幣と２千券を入金口１１へ紙幣を投入する。
ＳＨ３、係員の投入終了を待って待機していた主制御部３は、導入期モードの作動のステップＳＢ３と同様にしてステップＳＨ４へ移行する。
ＳＨ４、主制御部３は投入された投入紙幣の収納を実行する。
【０１４１】
すなわち、主制御部３は導入期モードの作動のステップＳＢ４と同様にして入金口１１へ投入された投入紙幣を入金鑑別部１２へ搬送し、入金鑑別部１２の鑑別結果を基に鑑別された紙幣が真券である場合は、その紙幣の正損に関わらず紙幣を金種別入出金金庫１４へ搬送し、その紙幣が新万券のときは金種別入出金金庫１４ａへ、その紙幣が新５千券のときは金種別入出金金庫１４ｂへ、その紙幣が２千券のときは金種別入出金金庫１４ｃへ、その紙幣が新千券のときは金種別入出金金庫１４ｄへ搬送して収納する。
【０１４２】
鑑別された紙幣が異常紙幣の場合は、主制御部３はその異常紙幣を出金口１７へ搬送して係員に返却する。
なお、主制御部３は、鑑別された紙幣が旧紙幣の場合は、これを異常紙幣として出金口１７へ搬送して係員に返却する。
上記の作動を繰り返しながら新紙幣モードによる投入紙幣の入金処理が継続される。
【０１４３】
この入金処理の過程で、新万券を収納する紙幣入出金金庫１４ａまたは新千券を収納する紙幣入出金金庫１４ｄがニアフル状態となったときの作動は、導入期モードの作動のステップＳＢ４の施封小束作動と同様であるのでその説明を省略する。
また、新５千券または２千券を収納する紙幣入出金金庫１４ｂまたは１４ｃがニアフル状態となったときの作動は、導入期モードの作動のステップＳＢ４の回収作動と同様であるのでその説明を省略する。
【０１４４】
このようにして全ての投入紙幣の入金処理を終了すると、主制御部３は紙幣処理を終了させ、接続子Ｚを介して図５に示すステップＳ１に戻って待機し、新紙幣モードによる業務処理を継続する。
ＳＨ５、出金処理の選択を認識した主制御部３は、導入期モードの作動のステップＳＢ５と同様にして出金内容入力画面を表示する。
【０１４５】
係員はこれに従って、出金額と１万円、２千円、千円の枚数等の指定を出金内容入力画面から入力する。
ＳＨ６、主制御部３は、入力された出金額や金種の枚数等の指定を認識し、この指定に基づいて導入期モードの作動のステップＳＢ６と同様に紙幣の払出を実行する。
【０１４６】
本処理は新紙幣モードであるので、主制御部３は係員が指定した万券と２千券と千券を払出すために、金種別入出金金庫１４ａと１４ｃと１４ｄから指定された枚数の新万券と２千券と新千券を順次に出金鑑別部１６へ搬送し、出金鑑別部１６の鑑別結果を基に鑑別された紙幣が真券でありかつ新紙幣または２千券の正券である場合は、その紙幣を出金口１７へ搬送して集積する。
【０１４７】
鑑別された紙幣が新紙幣の損券である場合は、主制御部３はその紙幣を損券庫１５へ搬送して収納する。
鑑別された紙幣が搬送異常等によるリジェクト券の場合は、主制御部３はそのリジェクト券をリジェクト庫１８へ搬送して収納する。
なお、係員の指定が新札である場合、係員の指定に小束を含む場合および回収処理が選択された場合の作動は移行後期モードの作動のステップＳＦ６の場合と同様である。
【０１４８】
このようにして、入力された金種等の指定に応じた出金紙幣の出金処理が行われる。
ＳＨ７、出金処理を終えた主制御部３は、導入期モードの作動のステップＳＢ６と同様にして出金紙幣の受取終了待ち状態で待機し、受取終了を認識して紙幣処理を終了させ、接続子Ｚを介して図５に示すステップＳ１に戻って待機し、新紙幣モードによる業務処理を継続する。
【０１４９】
以上のように、新紙幣モードは、市場が新紙幣の使用環境へ移行する終期および新紙幣の使用環境となった時期に有用な紙幣運用モードである。
なお、上記の各紙幣運用モードにおいて各金庫の収納紙幣に余裕がなくなるニアエンド状態となったときは、主制御部３は現行モード格納エリアと紙幣設定格納エリアを参照し、その金庫の番号とその時の現行モードのその金庫の収納紙幣を表示したニアエンド画面を表示操作部５の画面に表示し、係員はこれに従って表示された紙幣を入金口１１へ投入し、主制御部３はニアエンド状態となった金庫に上記に示した手順で紙幣を補充する。
【０１５０】
また、紙幣運用モードを切替えた直後等に、元の紙幣運用モードの戻す必要が生じた場合は、係員は図６に示す紙幣運用モード切替画面から戻すべき紙幣運用モードを選択して、そのモード選択ボタンを押下する。
主制御部３は、上記と同様に現行モードと選択された紙幣運用モードの相違を抽出してこれを紙幣排出通知画面や紙幣補充依頼画面に表示し、係員の回収、補充作業に伴って、上記と同様に収納紙幣の変更が必要になった金庫の紙幣を入替えて、選択された紙幣運用モードによる業務処理を行う。
【０１５１】
更に、中央銀行等から供給される新紙幣が改刷直後から出金取引を行える程度に供給される場合は、導入期モードを経ずに移行前期モードを実行するようにしてもよい。これにより市場の新紙幣への移行を促進することができる。
以上説明したように、本実施例では、紙幣運用モードの切替に伴う各金庫等の紙幣設定を予め設定しておき、新紙幣供給量に応じて係員の選択により紙幣運用モードを切替えるようにしたことによって、出納装置の改造を伴うことなく旧紙幣と新紙幣とを並行取扱に容易に適合させることができ、取扱紙幣の新紙幣への移行を円滑に行うことができると共に新紙幣への対応を早期に実現することができる。
【０１５２】
また、導入期モード、移行前期モード、移行前期モードおよび新紙幣モードからなる紙幣運用モードを設け、新紙幣供給量に応じてこれを選択して設定するようにしたことによって、旧紙幣から新紙幣に移行する際の各時期に応じて適切な運用形態をとることができ、新旧紙幣の並行取扱による取引を即時に切替えて円滑な取引を行うことができる。
【０１５３】
更に、紙幣運用モードの切替を表示操作部に選択可能に表示して設定するようにしたことによって、紙幣運用モードの切替を即時に行うことができると共に係員の負担を軽減することができる。
なお、導入期モードや移行前期モードの新紙幣や旧紙幣の全て混在させる金種別入出金金庫は、現行の２千円紙幣のように市場での流通量が比較的少ない少量流通紙幣を収納していた金種別入出金金庫とすることが望ましい。
【０１５４】
これにより、一つの金種別入出金金庫へ２千券と新紙幣または旧紙幣を収納することが可能となり、金種別入出金金庫の増設が不要になって出納装置の大型化を防止して装置の簡素化を図ることができる。
また、上記の実施例においては、紙幣運用モードの切替を係員が選択して入力するとして説明したが、複数の出納装置を通信ネットワークを介して接続し、これらを統括して管理する保守センタに遠隔保守制御装置を設け、保守センタの担当者が地域毎または全行一斉に紙幣運用モードの切替通知を送信して、営業店の出納装置の紙幣運用モードの切替を行うようにしてもよい。
【０１５５】
更に、新紙幣供給量に応じた紙幣運用モード切替時期を判断するための切替時期の判断基準を出納制御部の記憶部に格納するようにし、主制御部はその判断基準に基づいて自動的に判断するようにして紙幣運用モードの切替を出納装置が自動で行うようにしてもよい。
この時の判断基準は、例えば入金鑑別部が鑑別する紙幣の種類を上記の７種類に設定しておき、導入期モードへの切替時期は入金口に新紙幣は投入された時期とし、移行前期モードへの切替時期は金種別入出金金庫１４ｃの少量流通紙幣である２千券と新紙幣の収納割合が所定の割合（例えば１０倍）に達した時期または導入期モードにおける金種別入出金金庫１４ｃのニアフルによる回収処理の回数が所定の回数（例えば５回）に達した時期、移行後期モードへの切替時期は金種別入出金金庫１４ｃの２千券と旧紙幣の収納割合が所定の割合（例えば３倍）に達した時期または移行前期モードにおける金種別入出金金庫１４ｃのニアフルによる回収処理の時間間隔が所定の間隔（例えば２週間以上）に達した時期、新紙幣モードへの切替時期は入金口へ投入される紙幣の総数に対する旧紙幣の割合が所定の割合（例えば３パーセント以下）に達した時期となるように設定する。
【０１５６】
上記の遠隔操作や自動による切替の場合に、紙幣運用モード切替時の紙幣の回収、補充は主制御部が表示操作部に警告音等と共に表示した切替通知画面を営業店の係員が確認して行うようにする。
なお、上記の実施例においては大口の取引等を行う出納装置を例に説明したが、比較的小口の取引を行う金融機関の応対窓口の窓口端末や、自動取引装置等の紙幣による取引を行う自動取引装置であれば本発明を適用することができる。
【０１５７】
【発明の効果】
以上述べたように、本発明は、紙幣運用モードの切替に伴う各金庫等の紙幣設定を予め設定しておき、新紙幣供給量に応じて係員の選択により紙幣運用モードを切替えるようにしたことによって、出納装置の改造を伴うことなく旧紙幣と新紙幣とを並行取扱に容易に適合させることができ、取扱紙幣の新紙幣への移行を円滑に行うことができると共に新紙幣への対応を早期に実現することができるという効果が得られる。
【図面の簡単な説明】
【図１】本発明の実施例の出納装置を示すブロック図
【図２】実施例の紙幣入出金ユニットを示す概略ブロック図
【図３】実施例の施封小束支払ユニットの金庫構成を示す説明図
【図４】実施例の新札支払ユニットの金庫構成を示す説明図
【図５】実施例の業務処理を示すフローチャート
【図６】実施例の紙幣運用モード選択画面表示例
【図７】実施例の導入期モードへの切替処理を示すフローチャート
【図８】実施例の紙幣運用モード切替確認画面表示例
【図９】実施例の導入期モードの紙幣排出通知画面表示例
【図１０】実施例の導入期モードの紙幣補充依頼画面表示例
【図１１】実施例の紙幣運用モード切替終了画面表示例
【図１２】実施例の導入期モードの紙幣処理を示すフローチャート
【図１３】実施例の移行前期モードへの切替処理を示すフローチャート
【図１４】実施例の移行前期モードの紙幣処理を示すフローチャート
【図１５】実施例の移行前期モードの紙幣排出通知画面表示例
【図１６】実施例の移行前期モードの紙幣補充依頼画面表示例
【図１７】実施例の移行後期モードへの切替処理を示すフローチャート
【図１８】実施例の移行後期モードの紙幣処理を示すフローチャート
【図１９】実施例の移行後期モードの紙幣排出通知画面表示例
【図２０】実施例の移行後期モードの紙幣補充依頼画面表示例
【図２１】実施例の新紙幣モードへの切替処理を示すフローチャート
【図２２】実施例の新紙幣モードの紙幣処理を示すフローチャート
【図２３】実施例の新紙幣モードの紙幣排出通知画面表示例
【図２４】実施例の新紙幣モードの紙幣補充依頼画面表示例
【符号の説明】
１    出納装置
２    出納制御部
３    主制御部
４    通信回線
５    表示操作部
６    記憶部
７    紙幣入出金ユニット
８    施封小束支払ユニット
９    ユニット間搬送路
１０  新札支払ユニット
１１  入金口
１２  入金鑑別部
１３ａ〜１３ｇ  搬送路
１４ａ、１４ｂ、１４ｃ、１４ｄ  金種別入出金金庫
１５  損券庫
１６  出金鑑別部
１７  出金口
１８  リジェクト庫
２１ａ、２１ｂ、２１ｃ、２１ｄ  金種別小束金庫
３１ａ、３１ｂ、３１ｃ、３１ｄ  金種別新札金庫
【図１】
2004318517.tif 000004
【図２】
2004318517.tif 000005
【図３】
2004318517.tif 000006
【図４】
2004318517.tif 000007
【図５】
2004318517.tif 000008
【図６】
2004318517.tif 000009
【図７】
2004318517.tif 000010
【図８】
2004318517.tif 000011
【図９】
2004318517.tif 000012
【図１０】
2004318517.tif 000013
【図１１】
2004318517.tif 000014
【図１２】
2004318517.tif 000015
【図１３】
2004318517.tif 000016
【図１４】
2004318517.tif 000017
【図１５】
2004318517.tif 000018
【図１６】
2004318517.tif 000019
【図１７】
2004318517.tif 000020
【図１８】
2004318517.tif 000021
【図１９】
2004318517.tif 000022
【図２０】
2004318517.tif 000023
【図２１】
2004318517.tif 000024
【図２２】
2004318517.tif 000025
【図２３】
2004318517.tif 000026
【図２４】
2004318517.tif 000027